(57)【特許請求の範囲】
【請求項１】
車両の貸出しを管理するカーシェアリングシステムにおいて、利用者による貸出し申込み手続きの際に、車両に関する車両情報を提示情報として提供する情報提供システムであって、
該車両情報を格納する車両情報格納部と、
利用者が所持する携帯型端末装置と車両との通信による接続があった場合に、接続があった車両に関する該提示情報を、該車両情報格納部に格納された該車両情報に基づいて作成する提示情報作成部と、
該提示情報作成部によって作成された該提示情報を出力する提示情報出力部と、
該車両から当該車両を識別するための車両識別情報を取得する車両識別情報取得部と、
該提示情報作成部による該提示情報の作成に用いられる該車両情報を、該車両情報格納部から取得する車両情報取得部とをそなえ、
該車両情報格納部が、該車両情報を該車両識別情報に対応付けて管理し、
該車両情報取得部が、該車両識別情報取得部によって取得された該車両識別情報に基づいて、該車両情報格納部から当該車両識別情報に対応付けられた該車両情報を取得することを特徴とする、情報提供システム。
【請求項２】
該携帯型端末装置が、該車両情報取得部と該提示情報出力部とをそなえることを特徴とする、請求項１記載の情報提供システム。
【請求項３】
該車両情報が、該車両の仕様情報又は広告情報をそなえることを特徴とする、請求項１又は請求項２記載の情報提供システム。
【請求項４】
車両の貸出しを管理するカーシェアリングシステムにおいて、利用者による貸出し申込み手続きの際に、車両に関する車両情報を提示情報として提供する情報提供方法であって、
該車両情報を車両情報格納部に格納する車両情報格納ステップと、
利用者が所持する携帯型端末装置と車両との通信による接続があった場合に、接続があった車両に関する該提示情報を、該車両情報格納部に格納された該車両情報に基づいて作成する提示情報作成ステップと、
該提示情報作成ステップにおいて作成された該提示情報を出力する提示情報出力ステップと、
該車両から当該車両を識別するための車両識別情報を取得する車両識別情報取得ステップと、
該提示情報作成ステップにおける該提示情報の作成に用いられる該車両情報を、該車両情報格納部から取得する車両情報取得ステップとをそなえ、
該車両情報格納ステップにおいて、該車両情報を該車両識別情報に対応付けて格納し、
該車両情報取得ステップにおいて、該車両識別情報に対応付けられた該車両識別情報を取得することを特徴とする、情報提供方法。
【請求項５】
車両の貸出しを管理するカーシェアリングシステムにおいて、利用者による貸出し申込み手続きの際に、車両に関する車両情報を提示情報として提供する、車両に搭載可能な車載装置であって、
搭載された車両である搭載車両に関する車両情報を格納する車両情報格納部と、
利用者が所持する携帯型端末装置と該搭載車両との通信による接続があった場合に、該搭載車両に関する該提示情報を、該車両情報格納部に格納された該車両情報に基づいて作成する提示情報作成部と、
該提示情報作成部によって作成された該提示情報を出力する提示情報出力部とをそなえることを特徴とする、車載装置。
【発明の詳細な説明】
【技術分野】
【０００１】
本発明は、車両に関する車両情報を提示する技術に関する。
【背景技術】
【０００２】
近年、車両の購入や維持等にかかる固定費の負担を軽減するために、複数の会員間で車両を共用するカーシェアリングとよばれるシステムが注目されている。
カーシェアリングシステムにおいては、車両のドアロックに用いられている電子施錠を開錠するための鍵情報をセンターで管理し、この鍵情報をネットワークを介して送受信することで、レンタカーのような係員が常駐した営業所を介在させずに、車両を駐車場等で無人管理することを可能としている。
【０００３】
カーシェアリングシステムの利用者（会員）は、例えば、インターネットや電話でセンターに予約をした後、本人の認証を行ない、センターから送信された鍵情報によってドアロックを開錠された車両を使用する。
また、カーシェアリングシステムにおいては、カーシェアリングの対象車両が駐車された駐車場にて、実際に対象車両を見て予約手続きを行なうこともできる。
【先行技術文献】
【特許文献】
【０００４】
【特許文献１】特開２００８−２９３２５３号公報
【発明の概要】
【発明が解決しようとする課題】
【０００５】
しかしながら、このような従来のカーシェアリングシステムにおいては、駐車場で対象車両を視認することにより、その外見を把握することはできるものの、そのスペックやハードウェア的機能，ソフトウェア的機能，内装等の詳細な仕様を事前に知ることが困難である。
本発明は、このような課題に鑑み創案されたもので、事前に車両の仕様を容易に知ることができるようにすることを目的とする。
【０００６】
なお、前記目的に限らず、後述する発明を実施するための形態に示す各構成により導かれる作用効果であって、従来の技術によっては得られない作用効果を奏することも本発明の他の目的の1つとして位置付けることができる。
【課題を解決するための手段】
【０００７】
このため、本発明の情報提供システム（請求項１）は、車両の貸出しを管理するカーシェアリングシステムにおいて、利用者による貸出し申込み手続きの際に、車両に関する車両情報を提示情報として提供する情報提供システムであって、該車両情報を格納する車両情報格納部と、利用者が所持する携帯型端末装置と車両との通信による接続があった場合に、接続があった車両に関する該提示情報を、該車両情報格納部に格納された該車両情報に基づいて作成する提示情報作成部と、該提示情報作成部によって作成された該提示情報を出力する提示情報出力部と、該車両から当該車両を識別するための車両識別情報を取得する車両識別情報取得部と、該提示情報作成部による該提示情報の作成に用いられる該車両情報を、該車両情報格納部から取得する車両情報取得部とをそなえ、該車両情報格納部が、該車両情報を該車両識別情報に対応付けて管理し、該車両情報取得部が、該車両識別情報取得部によって取得された該車両識別情報に基づいて、該車両情報格納部から当該車両識別情報に対応付けられた該車両情報を取得することを特徴としている。
【０００８】
なお、該携帯型端末装置が、該車両情報取得部と該提示情報出力部とをそなえてもよい（請求項２）。又、該車両情報が、該車両の仕様情報をそなえてもよい（請求項３）。
また、本発明の情報提供方法（請求項４）は、車両の貸出しを管理するカーシェアリングシステムにおいて、利用者による貸出し申込み手続きの際に、車両に関する車両情報を提示情報として提供する情報提供方法であって、該車両情報を車両情報格納部に格納する車両情報格納ステップと、利用者が所持する携帯型端末装置と車両との通信による接続があった場合に、接続があった車両に関する該提示情報を、該車両情報格納部に格納された該車両情報に基づいて作成する提示情報作成ステップと、該提示情報作成ステップにおいて作成された該提示情報を出力する提示情報出力ステップと、該車両から当該車両を識別するための車両識別情報を取得する車両識別情報取得ステップと、該提示情報作成ステップにおける該提示情報の作成に用いられる該車両情報を、該車両情報格納部から取得する車両情報取得ステップとをそなえ、該車両情報格納ステップにおいて、該車両情報を該車両識別情報に対応付けて格納し、該車両情報取得ステップにおいて、該車両識別情報に対応付けられた該車両情報を取得することを特徴としている。
【０００９】
さらに、本発明の車載装置（請求項５）は、車両の貸出しを管理するカーシェアリングシステムにおいて、利用者による貸出し申込み手続きの際に、車両に関する車両情報を提示情報として提供する、車両に搭載可能な車載装置であって、搭載された車両である搭載車両に関する車両情報を格納する車両情報格納部と、利用者が所持する携帯型端末装置と該搭載車両との通信による接続があった場合に、該搭載車両に関する該提示情報を、該車両情報格納部に格納された該車両情報に基づいて作成する提示情報作成部と、該提示情報作成部によって作成された該提示情報を出力する提示情報出力部とをそなえることを特徴としている。
【発明の効果】
【００１０】
本発明の情報提供システム，情報提供方法および車載装置によれば、以下の少なくともいずれか１つの効果ないし利点が得られる。
（１）車両に関する車両情報を容易且つ迅速に提示することができる。
（２）車両識別情報に対応する車両情報を容易且つ迅速に取得することができ、提示情報を短時間で作成することができる。
【００１１】
（３）車両情報に車両の仕様情報が含まれているので、利用者が、事前にその車両の仕様を具体的に把握することができ利便性が高い。
（４）車両情報に車両に関する広告情報が含まれているので、車両の広告を効果的に行なうことができ、車両の販売促進を行なうことができる。
【図面の簡単な説明】
【００１２】
【図１】本発明の第１実施形態としての車両情報提示システムの機能構成を模式的に示す図である。
【図２】本発明の第１実施形態としての車両情報提示システムのハードウェア構成を模式的に示す図である。
【図３】本発明の第１実施形態の車両情報提示システムにおける提示情報を例示する図である。
【図４】本発明の第１実施形態の車両情報提示システムにおける処理を説明するためのチャート図である。
【図５】本発明の第２実施形態としての車両情報提示システムの機能構成を模式的に示す図である。
【図６】本発明の第２実施形態の車両情報提示システムにおける処理を説明するためのチャート図である。
【図７】本発明の第３実施形態としての車両情報提示システムの機能構成を模式的に示す図である。
【図８】本発明の第３実施形態の車両情報提示システムにおける処理を説明するためのチャート図である。
【図９】本発明の第４実施形態としての車両情報提示システムの機能構成を模式的に示す図である。
【図１０】本発明の第４実施形態の車両情報提示システムにおける処理を説明するためのチャート図である。
【図１１】本発明の第５実施形態としての車両情報提示システムの機能構成を模式的に示す図である。
【図１２】本発明の第５実施形態の車両情報提示システムにおける処理を説明するためのチャート図である。
【図１３】本発明の第６実施形態としての車両情報提示システムの機能構成を模式的に示す図である。
【図１４】本発明の第６実施形態の車両情報提示システムにおける処理を説明するためのチャート図である。
【発明を実施するための形態】
【００１３】
以下、図面を参照して本発明の実施の形態を説明する。
（Ａ）第１実施形態
図１は本発明の第１実施形態としての車両情報提示システム１ａの機能構成を模式的に示す図、図２はそのハードウェア構成を模式的に示す図である。
本第１実施形態にかかる車両情報提供システム（情報提示システム）１ａは、例えば、カーシェアリングシステムにおいて、共有される車両１０に関する情報を、その会員（利用者）に対して提供するものである。
【００１４】
本車両情報提供システム１ａは、図１に示すように、サーバ２２ａ，車載装置１２ａおよび携帯端末装置３０ａをそなえて構成されている。
車載装置１２ａは、車両１０に搭載されるものであり、本車両情報提供システム１ａにおいて管理される１以上の車両１０のそれぞれに搭載される。又、サーバ２２ａは情報センター２０にそなえられる。
【００１５】
なお、図１，図２に示す例においては、車両１０と携帯端末装置３０とを、便宜的に１つずつ図示している。
車両１０は、利用者等の搭乗者を乗せて移動可能な移動体であり、本実施形態においては自動車である。又、車両１０は、例えば、カーシェアリングシステムにおいて、このカーシェアリングシステムの会員間で共用されるものであり、利用者が必ずしもその仕様等を詳細に知るものではない。
【００１６】
また、車両１０は、ドアロック１２２０をそなえている。このドアロック１２２０は、例えば電子施錠であり、車両１０のドアの施錠および開錠を行なう。ドアロック１２２０は、車両１０毎にそなえられる専用キーを用いた操作で開錠／施錠が行なわれる。又、ドアロック１２２０は、後述する開錠制御部１２１の制御に従っても施錠および開錠を行なう。
【００１７】
なお、本実施形態において、車両１０における他の構成や機能についての図示や説明は、便宜上省略する。
車載装置１２ａは、図２に示すように、ＣＰＵ（Central Processing Unit）１２０１，ＲＯＭ（Read Only Memory）１２０２，ＲＡＭ（Random Access Memory）１２０３，通信モジュール１２０４，接続モジュール１２０５および不揮発性メモリ１２０６をそなえて構成されている。また、車載装置１２ａは、ドアロック１２２０に接続されている。
【００１８】
ＲＯＭ１２０２は、ＣＰＵ１２０１が演算や制御を行なう際に用いるデータやプログラムを予め格納する記憶装置であり、ＲＡＭ１２０３は、ＣＰＵ１２０１が演算や制御を行なう際に、データやプログラムを一時的に格納・展開する記憶装置である。
不揮発性メモリ１２０６は、電源が供給されなくとも記憶を保持する記憶装置であり、車両１０を特定するための車両識別情報が記憶されている。この車両識別情報は、車両１０毎にユニークに設定された識別情報であり、例えば、文字や符号の組み合わせにより構成される。
【００１９】
なお、この車両識別情報としては、例えば車両１０の自動車登録番号（車両ナンバー）や車体番号等の車両１０毎にユニークな既存の情報を用いてもよく、本発明の趣旨を逸脱しない範囲で種々変形して実施することができる。本実施形態においては、車両識別情報として任意の桁数の数字の組み合わせを用いるものとし、以下、車両識別情報を車両番号（車両Ｎｏ．）という場合がある。
【００２０】
通信モジュール１２０４は、後述する情報センター２０に設置されたサーバ２２ａとの間で無線でのデータの送受信を実現するものであり、例えば、ＤＣＭ（Data Communication Module）等のデータ通信装置である。この通信モジュール１２０４は、例えば、図示しない情報送受信アンテナを介してアクセスポイント４０に接続し、このアクセスポイント４０および通信回線４１を介して、サーバ２２ａと通信可能に接続する。又、通信モジュール１２０４によるサーバ２２ａとの通信手法は、既知の種々の手法を用いて実現することができ、その詳細な説明は省略する。
【００２１】
接続モジュール１２０５は、携帯端末装置３０ａと通信可能に接続するものであり、例えば、ブルートゥース（Bluetooth：登録商標）や赤外線通信等の規格に基づいて無線通信を行なう通信装置である。この接続モジュール１２０５は、後述するＣＰＵ１２０１の制御に従い、例えば、不揮発性メモリ１２０６に格納されている車両識別情報を、携帯端末装置３０ａに送信する。なお、この接続モジュール１２０５による携帯端末装置３０ａとの接続手法は、既知の種々の手法を用いて実現することができ、その詳細な説明は省略する。
【００２２】
ＣＰＵ１２０１は、種々の演算や制御を行なう処理装置であって、車載装置１２ａにおいては、このＣＰＵ１２０１が、制御プログラムを実行することにより、開錠制御部１２１（図１参照）として機能するようになっている。
なお、この開錠制御部１２１としての機能を実現するためのプログラム（制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００２３】
開錠制御部１２１としての機能を実現する際には、内部記憶装置（本実施形態ではＲＡＭ１２０３やＲＯＭ１２０２）に格納された制御プログラムがコンピュータのマイクロプロセッサ（本実施形態ではＣＰＵ１２０１）によって実行される。このとき、記録媒体に記録されたプログラムをコンピュータが読み取って実行するようにしてもよい。
開錠制御部１２１は、ドアロック１２２０の施錠および開錠を制御するものであり、ドアロック１２２０に対して開錠を行なわせる制御を行なう。この開錠制御部１２１は、例えば、後述するサーバ１２２の開錠指示送信部２０３から開錠指示を受信すると、ドアロック１２２０を開錠させる。
【００２４】
また、開錠制御部１２１においては、受信した開錠指示について、例えば、既知の種々の認証手法を用いることにより、サーバ２２の開錠指示送信部２０３から送信された正当な開錠指示であるかの確認を行なうことが望ましい。
携帯端末装置３０ａは、使用者が携行可能な情報処理装置であって、例えば、携帯電話、ＰＨＳ（Personal Handy-phone System）、携帯情報端末（ＰＤＡ）、ＰＣ（Personal Computer）等である。本実施形態においては、携帯端末装置３０ａとして携帯電話機を用いる例について説明する。
【００２５】
この携帯端末装置３０ａは、図２に示すように、ＣＰＵ３００１，表示部３００２，接続モジュール３００３，ＲＡＭ３００５，ＲＯＭ３００６，入力装置３００７および通信モジュール３００４をそなえている。
表示部３００２は、液晶ディスプレイや有機ＥＬ（Electro-Luminescence）ディスプレイ等の表示装置であって、種々の情報を利用者が視認できるように表示するものである。この表示部３００２には、例えば携帯電話機としての機能を実現するための種々の情報（例えば、通話にかかる電話番号や、電子メール，ウェブブラウザ）が表示される。そして、この表示部３００２に後述する提示情報５０（図３参照）が表示される。
【００２６】
また、この表示部３００２には、カーシェアリングシステムにおいて車両１０の貸出し申込みを行なうための各種メニュー画面や入力画面も表示画面として表示される。
接続モジュール３００３は、車載装置１２ａの接続モジュール１２０５と通信可能に接続する通信装置であり、これにより携帯端末装置３０ａと車載装置１２ａとの通信を確立するものである。すなわち、この接続モジュール３００３は接続モジュール１２０５と同一の規格に基づいて無線通信を行なう通信装置により実現される。
【００２７】
そして、本車両情報提示システム１ａにおいては、利用者が、例えば、携帯端末３０を車両１０における接続モジュール１２０５に近付けた状態で所定の操作を行なうことにより、この接続モジュール３００３が接続モジュール１２０５と接続し、携帯端末装置３０ａと車載装置１２ａとの間で通信が確立する。これにより、車載装置１２ａと携帯端末装置３０ａとの間でデータの送受信が可能となる。
【００２８】
ＲＯＭ３００６は、ＣＰＵ３００１が演算や制御を行なう際に用いるデータやプログラムを予め格納する記憶装置であり、ＲＡＭ３００５は、ＣＰＵ３００１が演算や制御を行なう際に、データやプログラムを一時的に格納・展開する記憶装置である。
入力装置３００７は、利用者が種々の情報や選択操作を入力可能な装置であり、例えば、キーボードや種々の入力ボタンにより構成される。利用者は、この入力装置３００７を用いて、種々の入力操作を行なう。なお、この入力装置３００７として例えばタッチディスプレイを用いることにより、このタッチディスプレイが上述した表示部３００２としても機能する。
【００２９】
通信モジュール３００４は、後述する情報センター２０に設置されたサーバ２２ａとの間で無線でのデータの送受信を実現するデータ通信装置である。この通信モジュール３００４は、例えば、図示しない情報送受信アンテナを介してアクセスポイント４０に接続し、このアクセスポイント４０および通信回線４１を介して、サーバ２２ａと通信可能に接続する。なお、この通信モジュール３００４によるサーバ２２ａと通信手法は、既知の種々の手法を用いて実現することができ、その詳細な説明は省略する
ＣＰＵ３００１は、種々の演算や制御を行なう処理装置であって、携帯端末装置３０ａにおいては、このＣＰＵ３００１が、制御プログラムを実行することにより、車両識別情報取得部３０１および車両情報取得部３０２として機能する。
【００３０】
なお、これらの車両識別情報取得部３０１および車両情報取得部３０２としての機能を実現するためのプログラム（制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００３１】
また、車両識別情報取得部３０１および車両情報取得部３０２としての機能を実現する際には、内部記憶装置（本実施形態ではＲＡＭ３００５やＲＯＭ３００６）に格納された制御プログラムがコンピュータのマイクロプロセッサ（本実施形態ではＣＰＵ３００１）によって実行される。このとき、記録媒体に記録されたプログラムをコンピュータが読み取って実行するようにしてもよい。
【００３２】
さらに、ＣＰＵ３００１は、例えば、HTML（HyperText Markup Language）やCHTML（Compact HTML），XML（eXtensible Markup Language）等のSGML（Standard Generalized Markup Language）を用いて作成された構造化文書を表示部３００２に表示させる表示制御機能をそなえており、後述の如く構造化文書によって作成された提示情報５０を表示部３００２に表示させる。この構造化文書を表示部３００２に表示させる表示制御機能は、例えば、ウェブブラウザ機能により実現することができる。なお、構造化文書を表示装置に表示させる手法は既知の種々の技術で実現することができるので、ここでは、その詳細な説明は省略する。
【００３３】
車両識別情報取得部３０１は、車両１０から車両識別情報を取得するものであり、接続モジュール３００３を介して車載装置１２ａに対して車両識別情報の送信を要求する。又、車両識別情報取得部３０１は、車載装置１２ａから取得した車両識別情報をＲＡＭ３００５等の記憶装置に格納する。
車両情報取得部３０２は、車両１０に関する提示情報５０を取得するものであり、後述の如く、この提示情報５０には車両１０の車両情報が含まれている。すなわち、車両情報取得部３０２は、車両１０に関する車両情報を取得する。
【００３４】
この車両情報取得部３０２は、車両識別情報取得部３０１によって取得した車両識別情報に基づき、サーバ２２ａから、その車両１０の車両情報を取得する。例えば、車両情報取得部３０２は、通信モジュール３００４を介して、車両識別情報取得部３０１によって取得した車両識別情報とともに提示情報５０を要求するコマンドをサーバ２２ａに送信する。
【００３５】
車両情報取得部３０２は、この提示情報２０の要求に応じてサーバ２２ａから送信された提示情報５０を、通信モジュール３００４を介して受信し、この受信した提示情報５０をＲＡＭ３００５に格納する。
また、ＣＰＵ３００１は、この提示情報５０を表示部３００２に表示させる制御を行なう。すなわち、表示部３００２は、提示情報作成部２０２によって作成された提示情報５０を出力する提示情報出力部として機能する。
【００３６】
さらに、本車両情報提供システム１ａにおいては、携帯端末装置３０ａを用いて、車両１０の予約状況や使用状況を確認したり、希望する車両１０の利用の申込みを行なうことができるようになっている。
利用者は、携帯端末装置３０ａを用いてサーバ２２ａに接続し、車両１０を利用申込みを行なうための入力操作を行なうのである。
【００３７】
なお、厳密には、利用開示日時が携帯端末装置３０ａにおいて貸出し申込を行なった時点よりも後である「予約申込み」と、車両１０の利用開始日時が携帯端末装置３０ａにおいて貸出し申込を行なった時点である「利用申込み」とは異なるものであるが、以下、これらの利用申込みおよび予約申込みを含めて、便宜上、単に貸出し申込みという場合がある。同様に、以下、単に貸出しという場合には、利用および予約の両方が含まれ得るものとする。
【００３８】
そして、入力装置３００７は、車両１０を貸出し申込みを行なうための操作を入力する貸出手続入力部３０４として機能するようになっている。
利用者は、入力装置３００７を用いて、貸出しを希望する車両１０の選択や、その車両１０についての利用状況もしくは予約状況（空き状況）の確認，貸し出しに必要な情報（例えば、利用開始日時や利用終了日時，返却予定場所）の入力等を行ない、これらの入力された情報は貸出申込情報として通信モジュール３００４を介してサーバ２２ａに送信される。
【００３９】
また、車両の使用状況や予約状況，貸出し申込みの結果（可否）等の情報は、サーバ２２ａから携帯端末装置３０ａに送信され、ＣＰＵ３００１はこれらの情報を表示部３００２に表示させるための制御を行なう。すなわち、表示部３００２は、貸出情報を出力する貸出情報出力部３０５として機能する。
ＣＰＵ３００１は、通信モジュール３００４を介してサーバ２２ａに接続し、このサーバ２２ａに対して、カーシェアリングシステムの利用にかかる各種表示画面の送信を要求し、この要求に応じてサーバ２２ａから提供される表示画面等を、表示部３００２に表示させる制御を行なう。
【００４０】
そして、カーシェアリングシステムにおける、車両１０の使用状況の表示や予約状況の表示，貸出し申込み等の各種処理は、この表示画面において入力された情報に従って行なわれる。又、ＣＰＵ３００１は、表示部３００２に表示された各種表示画面に関連して、利用者によって入力装置３００７を介して入力された情報を、通信モジュール３００４を介して後述するサーバ２２ａに送信する。
【００４１】
なお、携帯端末装置３０の表示部３００２に表示されるこれらの各種表示画面は、例えば、予めＲＯＭ３００６等に格納しておき、利用者が入力装置３００７によって所定の操作を行なったときに表示部３００２に表示させてもよく、又、サーバ２２ａがこれらの表示画面を提供してもよい。後者の場合には、例えば、サーバ２２ａが、各種表示画面をウェブページとして提供するウェブサーバとして機能するとともに、ＣＰＵ３００１がウェブブラウザ機能をそなえ、サーバ２２ａによって提供されるウェブページに対して、通信モジュール３００４および通信回線４１を介して接続し、ウェブブラウザの表示機能によりこのウェブページを表示部３００２に表示させる。
【００４２】
また、サーバ２２ａに対して貸出し申込みを行なった結果、後述の如くサーバ２２ａの運用管理部２０１により承認された場合において、利用者は、車両１０を利用するために携帯端末装置３０を用いて、サーバ２２ａに対して車両１０のドアロック１２２０の開錠を要求する。
この開錠要求は、例えば、利用者が携帯端末装置３０ａの入力装置３００７から所定の入力（選択）を行なうことにより行なわれ、この際、利用者は、入力装置３００７を用いて、その会員ＩＤに対応するパスワードの入力等も行なう。
【００４３】
そして、利用者が開錠要求を行なうと、携帯端末装置３０ａの利用者の会員ＩＤや利用者が入力装置３００７から入力したパスワード，貸出しを希望する車両１０の車両識別情報等とともに、開錠要求に対応する所定のコマンドが通信モジュール３００４から通信回線４１を介してサーバ２２ａに送信される。
なお、サーバ２２ａにおいては、この開錠要求に基づく認証が行なわれ（詳細は後述）、その認証結果が携帯端末装置３０ａに送信される。ＣＰＵ３００１は、この携帯端末装置３０ｂからの開錠要求に伴う認証結果を表示部３００２に表示させる処理も行なう。
【００４４】
サーバ２２ａは情報センター２０内に設置されるサーバコンピュータ（情報処理装置）である。サーバ２２ａは、図２に示すように、ＣＰＵ２００１，ＲＯＭ２００２，ＲＡＭ２００３，ＨＤＤ（Hard Disk Drive）２００４，通信モジュール２００５および表示部２００６をそなえている。また、サーバ２２ａは通信回線４１を介してアクセスポイント４０と接続されている。
【００４５】
なお、通信回線４１は、例えば公衆回線やイーサネット（登録商標）であり、アクセスポイント４０は、車載装置１２ａの通信モジュール１２０４や携帯端末装置３０ａの通信モジュール３００４を通信回線４１に接続するものであり、通信プロバイダ等によって提供される。
ＲＯＭ２００２は、ＣＰＵ２００１が演算や制御を行なう際に用いるデータやプログラムを予め格納する記憶装置であり、ＲＡＭ２００３は、ＣＰＵ２００１が演算や制御を行なう際に、データやプログラムを一時的に格納・展開する記憶装置である。
【００４６】
ＨＤＤ２００４は、種々のデータやプログラムを保持する記憶装置であり、例えば、サーバ２２ａが機能するためのＯＳ（Operating System）や管理プログラム等の各種プログラムの他、後述する運用管理情報２０４や車両情報２０５が記憶されている。すなわち、このＨＤＤ２００４は、車両情報２０５を格納する車両情報格納部として機能する。
通信モジュール２００５は、通信回線４１およびアクセスポイント４０を介して、車載装置１２ａや携帯端末装置３０ａと情報を送受信するためのものである。
【００４７】
表示部２００６は、液晶ディスプレイや有機ＥＬディスプレイ，ＣＲＴ（Cathode Ray Tube）ディスプレイ等の表示装置であって、種々の情報をサーバ２２ａの管理者等が視認できるように表示するものである。この表示部２００６には、サーバ２２ａの管理・運用に際して管理者等に提示される種々の情報が表示される。
ＣＰＵ２００１は、種々の演算や制御を行なう処理装置であって、サーバ２２ａにおいては、ＣＰＵ２００１が、例えば、管理プログラムを実行することにより、後述する、運用管理部２０１，提示情報作成部２０２および開錠指示送信部２０３として機能するようになっている。
【００４８】
なお、これらの運用管理部２０１，提示情報作成部２０２および開錠指示送信部２０３としての機能を実現するためのプログラム（制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００４９】
なお、これらの運用管理部２０１，提示情報作成部２０２および開錠指示送信部２０３としての機能を実現する際には、内部記憶装置（本実施形態ではＲＡＭ２００３やＲＯＭ２００２）に格納された制御プログラムがコンピュータのマイクロプロセッサ（本実施形態ではＣＰＵ２００１）によって実行される。このとき、記録媒体に記録されたプログラムをコンピュータが読み取って実行するようにしてもよい。
【００５０】
運用管理部２０１は、カーシェアリングシステムの管理・運用にかかる各種処理を行なうものであり、例えば、運用管理情報２０４を管理することにより、会員の管理，車両１０の使用状況の管理および車両１０の予約状況の管理を行なう。ここで、運用管理情報２０４は、会員情報ＤＢ２０４１，予約状況ＤＢ２０４２および使用状況ＤＢ２０４３をそなえている。
【００５１】
会員情報ＤＢ２０４１は、カーシェアリングシステムの会員に関する情報をデータベース（Data Base：ＤＢ）として保持するものであり、例えば、会員を特定するための識別情報（会員ＩＤ）に対して、会員の氏名や住所，家族構成やカーシェアリングシステムの利用履歴，会員認証用パスワード，使用する携帯端末装置３０ａの電話番号やＵＩＤ（固体識別情報）等の情報を関連付けて記憶している。
【００５２】
予約状況ＤＢ２０４２は、カーシェアリングシステムに登録されている各車両１０について、その予約状況を示す情報をデータベースとして保持するものであり、例えば、各車両１０の車両識別情報に対して、その車両１０の利用予約が行なわれている期間（利用開始日時，利用終了日時等）や予約している会員の会員ＩＤ等を関連付けて記憶している。
使用状況ＤＢ２０４３は、カーシェアリングシステムに登録されている各車両１０について、その使用状況を示す情報をデータベースとして保持するものであり、例えば、各車両１０の車両識別情報に対して、現在使用中であるか否かや、使用中である場合には、その車両１０を使用している会員の会員ＩＤ，利用終了日時（返却予定日時）等を関連付けて記憶している。
【００５３】
そして、運用管理部２０１は、例えば、携帯端末装置３０ａから送信される車両識別情報に基づいて、予約状況ＤＢ２０４２から当該車両１０についての予約状況を抽出したり、使用状況ＤＢ２０４３から当該車両１０の使用状況を抽出し、提示情報作成部２０２に受け渡すようになっている。
また、運用管理部２０１は、後述する提示情報作成部２０２からの情報抽出指示に従い、車両識別情報に基づいて車両１０の予約状況ＤＢ２０４２を参照する。そして、運用管理部２０１は、予約状況ＤＢ２０４２からその車両１０を使用可能な日時を抽出して、使用可能日時として提示情報作成部２０２（後述）に対して受け渡す。
【００５４】
なお、予約状況ＤＢ２０４２からの車両１０を使用可能な日時の抽出は、例えば、「その時点から１ヶ月先まで」のように所定範囲に絞って行なうことが望ましく、これにより、処理に要する負荷を軽減したり、要する検索時間を短縮することができる。
また、運用管理部２０１は、携帯端末装置３０ａの利用者の認証を行なう認証機能をそなえている。この認証機能は、例えば、携帯端末装置３０ａにおいて利用者により入力された情報（例えば、パスワード）を会員情報ＤＢ２０４１に登録されている情報と比較することにより、その利用者の認証を行なう。
【００５５】
なお、利用者の認定を行なうに際し、利用者の特定は、携帯端末装置３０ａの入力装置３００７から利用者に会員ＩＤを入力させ、この入力された会員ＩＤを用いて行なってもよく、又、サーバ２２ａにおいて、何らかの手法を用いて携帯端末装置３０ａからＵＩＤや電話番号を取得し、これらの情報を用いてもよい。
そして、運用管理部２０１は、この認証の結果、携帯端末装置３０ａの利用者が会員情報ＤＢ２０４１に登録されている正規の利用者であると認定（確認）した場合に、後述する開錠指示送信部２０３に対して、その車両１０への開錠指示の送信を許可する。又、運用管理部２０１は、携帯端末装置３０ａに対して認証結果の通知も行なう。
【００５６】
なお、この運用管理部２０１によるカーシェアリングシステムを運用するための会員情報や予約状況，使用状況の管理，各種認証手法は、既知の種々の手法を適宜用いて実現することができ、その詳細な説明は省略する。
開錠指示送信部２０３は、車両１０の開錠制御部１２１に対して、ドアロック１２２０を開錠させる指示（開錠指示）を送信するものであり、車両１０のドアロック１２２０を通信回線４１等を介して遠隔的に開錠させる。この開錠指示送信部２０３は、車両１０のドアロック１２２０の開錠を求める開錠要求が携帯端末装置３０等から行なわれた場合に、運用管理部２０１において利用者の認証が行なわれ、その利用者がサーバ２２ａの会員情報ＤＢ２０４１に登録されている正規の会員であることが確認された場合に、貸出し申込みが行なわれた車両１０に対して、ドアロック１２２０を開錠させるべく開錠指示を送信する。
【００５７】
なお、この開錠指示には、第三者による成りすましを阻止するために、暗号化や電子署名による認証を適用することが望ましい。なお、これらの暗号化手法や認証手法としては既知の種々の手法を用いることができ、その詳細な説明は省略する。
車両情報管理部２０６は、車両１０に関する情報である車両情報２０５を管理するものである。ここで、車両情報２０５は、例えば、車両特徴情報２０５１，おすすめ情報２０５２および制限情報２０５３をそなえ、これらの少なくとも一部が、提示情報５０として携帯端末装置３０ａの利用者に提示される。
【００５８】
車両特徴情報２０５１は、車両１０の機能や仕様を車両特徴として示す情報であって、例えば、車両１０についての、車両ナンバー，車種名，グレード，排気量，乗車可能人数，ステアリング位置，燃料，変速機，シフト位置，メータ位置，バックアイカメラの有無およびタイヤ種をそなえている。
ここで、乗車可能人数は乗車定員であり、ステアリング位置は右ハンドル車であるか左ハンドル車であるかを示す。燃料は、動力種別であって、例えばガソリン車，ＥＶ（Electric Vehicle：電気自動車），ＰＨＶ（プラグインハイブリッド車）のいずれであるかを示す。変速機は、変速操作種別であって、変速操作がＡＴ（Automatic Transmission）であるかＭＴ（Manual Transmission）であるかを示す。シフト位置は、シフトレバーの取り付け位置であって、例えば、フロアシフト，インパネシフトおよびコラムシフトのいずれであるかを示す。メータ位置は、メータがインストゥルメントパネル（計器盤）の右側，センターおよび左側のいずれに配置されているかを示す。又、タイヤ種は、装着されているタイヤの種類であって、例えば、普通タイヤやスタッドレスタイヤである。
【００５９】
また、車両特徴情報２０５１においては、これらの情報のより詳細な情報を保持してもよく、例えば、用語や機能の説明や使用方法、各機能や使用方法等を示す写真やイラスト等を含んでもよい。
おすすめ情報２０５２は、その車両１０に関して利用者に提示が推奨される付加的な情報である。このおすすめ情報２０５２としては、例えば、その車両１０についての、おすすめポイント，おすすめの利用シーン，車内の広さおよび便利な機能である。
【００６０】
ここで、車内の広さとしては、単なる容積等の数値のみならず、例えば、実際に人が乗車した状態を示す画像や映像であることが望ましい。又、便利な機能としては、その車両１０に搭載されている便利な機能を紹介する文章や映像，画像である。
おすすめ情報２０５２として車両１０の利点や特徴を示す情報（広告情報）を含むことにより、このおすすめ情報２０５２が提示情報５０として提示された利用者に対して、その車両１０に対する興味や購買意欲をかきたてることが期待される。すなわち、おすすめ情報２０５２が利用者に対する広告として機能し、車両１０のメーカや販売店等にとって販売促進の効果を期待することができる。
【００６１】
制限情報２０５３は、その車両１０の利用に際して利用者が受ける制約（制限）に関する情報であり、例えば、チャイルドシートの取り付け可否，チャイルドシートの有無，チェーンの有無等である。
そして、これらの車両特徴情報２０５１，おすすめ情報２０５２および制限情報２０５３は車両特定情報に関連付けて保持される。又、これらの車両情報２０５は、車両１０をカーシェアリングシステムに登録する際に管理者等により登録される。
【００６２】
なお、車両情報２０５に含まれる情報は、上述した情報に限定されるものではなく、これらの以外の情報をそなえてもよく、又、上述した情報の一部であってもよく、本発明の趣旨を逸脱しない範囲で種々変形して実施することができる。
また、車両情報２０５のデータ構成も、種々変形して実施することができる。例えば、車両情報２０５のうち、例えば、乗車可能人数，動力種別，変速操作種別，シフト位置，メータ位置のように車種によって固有の情報は、必ずしも車両特定情報に直接的に関連付ける必要がなく、別途、車種情報を管理するデータベースをそなえ、このデータベースで管理してもよい。
【００６３】
そして、車両情報管理部２０６は、提示情報作成部２０２からの抽出指示に従って、車両識別情報に基づいて車両情報２０５を参照し、その車両識別情報によって特定される車両１０に関する車両特徴情報２０５１やおすすめ情報２０５２，制限情報２０５３を抽出する。又、車両情報管理部２０６は、この抽出した車両情報を提示情報作成部２０２に受け渡す。すなわち、車両情報管理部２０６は、提示情報作成部２０２による提示情報５０の作成に用いられる車両情報２０５を、ＨＤＤ２００４から取得する車両情報取得部として機能する。
【００６４】
また、車両情報管理部２０６は、管理者等により車両１０に関する新たな情報が入力された場合には、その情報を、対応する車両１０に関連付けて車両情報２０５に登録する処理も行なう。
提示情報作成部２０２は、利用者に対して提示する提示情報５０を作成する。この提示情報作成部２０２は、携帯端末装置３０ａから送信された車両識別情報に基づいて、その車両識別情報によって特定される車両１０に関する提示情報５０を作成する。具体的には、提示情報作成部２０２は、車両情報管理部２０６に対して車両識別情報とともに、この車両識別情報に関連付けられた車両情報２０５の抽出を指示する。
【００６５】
また、提示情報作成部２０２は、運用管理部２０１に対して、車両識別情報とともに、この車両識別情報によって特定される車両１０について、予約状況ＤＢ２０４２からその車両１０を使用可能な日時（使用可能日時）の抽出指示を行なう。
そして、提示情報作成部２０２は、車両情報管理部２０６によって抽出された車両識別情報に対応する車両情報と、運用管理部２０によって抽出された使用可能日時に関する情報とを用いて提示情報５０を作成する。
【００６６】
具体的には、例えば、提示情報５０を、HTMLやCHTML，XML等のSGMLを用いて作成された構造化文書により構成し、提示情報作成部２０２は、車両情報管理部２０６によって抽出された車両情報や、運用管理部２０１によって抽出された使用可能日時に関する情報を、これらの取得した情報を予め設定された構造化文書のテンプレートの所定箇所に挿入（流し込み）することにより、提示情報５０を作成する。
【００６７】
この作成された提示情報５０は、通信モジュール２００５や通信回線４１等を介して携帯端末装置３０ａに送信され、その表示部３００２に表示されることにより、利用者に提示される。
図３は本発明の第１実施形態の車両情報提示システム１ａにおける提示情報５０を例示する図であり、携帯端末装置３０ａの表示部３００２に表示された提示情報５０の例を示す。
【００６８】
この図３に示す例においては、提示情報５０は、主に車両特徴情報２０５１の内容を配置する車両特徴情報配置部５０１と、主に制限情報２０５３の内容を配置する制限情報配置部５０２と、主におすすめ情報２０５２の内容を配置するおすすめ情報配置部５０３とをそなえている。
また、この提示情報５０は、この図３に示された情報とは別の情報へアクセスするためのリンクポインタ（図３中の矢印Ａ〜Ｅ参照）をそなえており、利用者が携帯端末装置３０ａの入力装置３００７を用いてこのリンクポインタを選択することにより、それぞれ他の情報へアクセスすることができる。この図３に示す例においては、例えば、他のより詳細な情報へのリンク（矢印Ａ参照）や、車両情報２０５に含まれる特定の映像や画像へのリンク（矢印Ｃ〜Ｅ参照）が含まれている。
【００６９】
また、この図３に示す例においては、制限情報配置部５０２に、上述した運用管理部２０１によって抽出された車両１０の使用可能日時に関する情報が配置されており、提示情報作成部２０２は、運用管理部２０１によって抽出された車両１０の使用可能日時に関する情報の少なくとも一部を、この制限情報配置部５０２に挿入する。
さらに、提示情報作成部２０２は、運用管理部２０１から取得した使用可能日時のうち、利用者が貸出し申込みを行った当日を先頭とする１週間分の使用可能な日時を制限情報配置部５０２における所定の領域に表示させる。
【００７０】
なお、この図３に示す例においては、使用可能日時として、利用者が貸出し申込みを行った当日から先の５日分についてのみ、その車両１０を使用可能な日時を示し、その翌週以降の使用可能日時を表示させる代わりに、リンクポインタ（図３の矢印Ｂ参照）を表示させている。そして、利用者が、携帯端末装置３０ａの入力装置３００７を用いてこのリンクポインタを選択することにより、翌週以降の使用可能日時にアクセスされ、表示部３００２に表示される。提示情報５０内に他の情報へのリンクポインタを含めることにより、提示情報５０の視認性を向上させるとともに、一度に表示できる情報に制限のある携帯端末装置３０ａの表示部３００２でも、多様な情報提供を可能としている。
【００７１】
また、サーバ２２ａは、例えば、ウェブサーバ機能をそなえ、通信回線４１を介して接続される携帯端末装置３０ａに対して、カーシェアリングシステムの運用にかかる各種の表示画面をウェブページとして提供してもよい。
上述の如く構成された本第１実施形態の車両情報提示システム１ａにおける処理を、図４に示すチャート図（ステップＡ１０〜Ａ２５０）に従って説明する。
【００７２】
なお、この図４に示す例においては、カーシェアリングの対象となる車両１０が所定の駐車場に駐車されており、利用者がその場で利用予約を行ない、そのままこの車両１０を使用する場合について説明する。
例えば、カーシェアリングシステムにおいて用いられる所定の駐車場で車両１０を見て、その仕様等の詳細な情報を得ることを希望する利用者が、携帯端末装置３０ａを車両１０における車載装置１２ａの接続モジュール１２０５付近にかざし、入力装置３００７から所定の操作を行なう（ステップＡ１０）。これにより、携帯端末装置３０ａの車両識別情報取得部３０１が、接続モジュール３００３により車載装置１２ａの接続モジュール１２０５と通信し（ステップＡ２０）、車両１０と携帯端末装置３０ａとの間で接続を確立する。
【００７３】
携帯端末装置３０ａの車両識別情報取得部３０１が、車載装置１２ａに対して車両Ｎｏ．（車両識別情報）の送信を要求し、車載装置１２ａは、この要求に応じて不揮発性メモリ１２０６に格納されている車両Ｎｏ．を携帯端末装置３０ａに送信する（ステップＡ３０）。
携帯端末装置３０ａにおいて、車両識別情報取得部３０１が、この車載装置１２ａから車両Ｎｏ．を受信する（ステップＡ４０）。なお、この受信した車両Ｎｏ．はＲＡＭ３００５や図示しないフラッシュメモリ等に格納される。そして、車両情報取得部３０２が、この受信した車両Ｎｏ．を、通信モジュール３００４を介してサーバ２２ａに送信し、提示情報５０の提供を要求する（ステップＡ５０）。
【００７４】
情報センター２０においては、サーバ２２ａの通信モジュール２００５が車両Ｎｏ．を受信し（ステップＡ６０）、提示情報作成部２０２が、この車両Ｎｏ．に対応する車両１０に関する提示情報５０を作成する（ステップＡ７０）。提示情報作成部２０２は、この作成した提示情報５０を通信モジュール２００５および通信回線４１を介して、提示情報５０の要求元である利用者の携帯端末装置３０ａに送信する（ステップＡ８０）。
【００７５】
携帯端末装置３０ａにおいて、車両情報取得部３０２が通信モジュール３００４により提示情報５０を受信し（ステップＡ９０）、提示情報出力部３０３が表示部３００２に提示情報５０を表示させることにより、利用者に対して提示情報５０を提示する（ステップＡ１００）。
利用者は、表示部３００２に表示された提示情報５０の内容を確認し、その車両１０が気に入り借り出すことを決定すると、携帯端末装置３０ａを用いて貸出し手続き（貸出し申込み）を開始する（ステップＡ１１０）。
【００７６】
携帯端末装置３０ａは、車両１０の貸出し申込み手続きを行なう為の表示画面（貸出し申込み画面）を表示部３００２に表示させる（ステップＡ１２０）。なお、上述したステップＡ４０において取得された車両Ｎｏ．や利用者の会員ＩＤ等の携帯端末装置３０ａのＲＡＭ３００５等に格納されている情報は、ＣＰＵ３００１がこの貸出し申込み画面における所定の入力項目に自動的に反映させることにより、利用者がこれらの情報を入力する手間を省くことができる。
【００７７】
利用者は、入力装置３００７を用いて、この貸出し申込み画面における所定の項目に、貸出し申込みを行なうに際して必要な情報（利用開始日時や利用終了日時，返却予定場所等）を入力する（ステップＡ１３０）。ＣＰＵ３００１は、この貸出し申込み画面において入力された各情報について確認する。例えば、必要な情報が漏れなく入力されていることや、入力された情報が所定の規定（例えば、半角／全角の種別）を満たしていることを確認する。そして、ＣＰＵ３００１は、これらの確認を行なった後、入力された情報に基づき、サーバ２２ａへ送信する送信データを作成し（ステップＡ１４０）、この作成した送信データをサーバ２２ａに送信する（ステップＡ１５０）。
【００７８】
サーバ２２ａは、携帯端末装置３０ａから送信された送信データを受信し（ステップＡ１６０）、運用管理部２０１が、この受信したデータの内容を確認する。例えば、会員情報ＤＢ２０４１を参照して、貸出し申込みを行なった利用者が正規の会員であることを確認したり、使用状況ＤＢ２０４３や予約状況ＤＢ２０４２を参照して、貸出し申込みが行なわれている期間が、その車両１０に対して既に行なわれている他の予約や使用の状況に矛盾するものではないかを確認する。そして、これらの要件が満たされていることが確認された場合に、運用管理部２０１は当該車両１０の貸出し登録を行なう（ステップＡ１７０）。
【００７９】
提示情報作成部２０２は、貸出し申込みを行なった携帯端末装置３０ａに対して、承認結果を送信する（ステップＡ１８０）。携帯端末装置３０ａはこの承認結果を受信し（ステップＡ１９０）、ＣＰＵ３００１がその承認結果を表示部３００２に表示させる（ステップＡ２００）。
また、ステップＡ１７０における認証の結果、利用者が正当な会員であり、貸出し申込みにかかる要件が満たされていると判断された場合には、サーバ２２ａにおいて、開錠指示送信部２０３が、承認した車両１０、すなわち、貸出し申込みが行なわれた車両１０の車載装置１２ａに対する開錠指示（承認結果）を行なう（ステップＡ２１０）。開錠指示送信部２０３は、通信モジュール２００５により、通信回線４１を介して車載装置１２ａの開錠制御部１２１に対して開錠指示を送信する（ステップＡ２２０）。
【００８０】
車両１０においては、通信モジュール１２０４が、この開錠指示を受信して（ステップＡ２３０）、開錠制御部１２１がこの受信した開錠指示の確認を行なう（ステップＡ２４０）。開錠制御部１２１において、受信した開錠指示が正当なものであることが確認されると、開錠制御部１２１がドアロック１２２０の開錠を行なう（ステップＡ２５０）。
そして、利用者は、ドアロック１２２０が解除された車両１０に搭乗し、例えば、車両１０内の所定位置に格納されている車両１０の物理キーを取り出し、この物理キーを用いて、車両１０を始動させ利用する。
【００８１】
なお、車両１０の返却時においては、所定の返却場所（例えば、予め規定された駐車場）に車両１０を停車し、車両１０内の所定位置に物理キーを格納した上で、車両１０のドアを閉める。
その後、利用者は、携帯端末装置３０ａを用いて、サーバ２２ａにアクセスし、所定の操作を行なう。これにより、例えば、サーバ２２ａの開錠指示送信部２０３から車載装置１２ａの開錠制御部１２１に対して閉錠指示が送信され、開錠制御部１２１は、この閉錠指示に従って、ドアロック１２２０を閉錠する。又、併せて、運用管理部２０１において、車両１０の返却が登録され、運用管理部２０１は使用状況ＤＢ２０４３の更新を行なう。
【００８２】
このように、本発明の第１実施形態としての車両情報提供システム１ａによれば、利用者が携帯端末装置３０ａを車両１０における車載装置１２ａの接続モジュール１２０５付近にかざし、入力装置３００７から所定の操作を行なうだけで、車両識別情報取得部３０１が車両Ｎｏ．を車両１０から取得し、サーバ２２ａに対して、その車両２２にかかる車両情報を要求し、サーバ２２ａにおいて提示情報作成部２０２が作成した提示情報５０が携帯端末装置３０ａに送信される。
【００８３】
すなわち、利用者に対して提示する提示情報５０を容易かつ迅速に作成することができ利便性が高い。又、利用者が車両１０に関する提示情報５０を容易に取得することができる。
また、提示情報５０に、車両１０の外観からではわかりにくい情報（例えば、燃料種別やチャイルドシートの取り付け可否，チェーンの有無，おすすめ情報）が含まれているので、車両１０の貸出し申込みを行なう前に、利用者がこれらの有用な情報を得ることができる。
【００８４】
これにより、例えば、貸出し申込みを行なう候補となる車両１０が複数ある場合には、いずれかの車両１０の貸出し申込みを行なう前に、各車両１０の提示情報５０をそれぞれ取得することにより、車両１０の選択および貸出し申込みを効率よく行なうことができる。
また、車両情報２０５において、車両特徴情報２０５１，おすすめ情報２０５２および制限情報２０５３をそれぞれ車両特定情報に関連付けて保持することにより、車両識別情報に対応する車両特徴情報２０５１，おすすめ情報２０５２および制限情報２０５３を容易且つ迅速に取得することができ、提示情報５０を短時間で作成することができる。
【００８５】
また、提示情報５０に制限情報２０５３として、予約状況ＤＢ２０４２から抽出された当該車両１０の使用可能日時が含まれており、利用者はこの車両１０を借りるか否かの判断等をその使用可能日時に基づいて判断することができ利便性が高い。
さらに、提示情報５０に車両特徴情報２０５１が含まれているので、利用者が、事前にその車両１０の仕様や特徴を具体的に把握することができ利便性が高い。
【００８６】
また、提示情報５０におすすめ情報２０５２が含まれているので、利用者がこのおすすめ情報２０５２を見ることにより、事前に、その車両１０を使用した場合の使用状況等を具体的に把握することができ利便性が高い。
さらに、このおすすめ情報２０５２に車両１０の広告的な内容を含めることにより、車両１０の広告を効果的に行なうことができ、車両１０の販売促進効果を期待できる。
【００８７】
（Ｂ）第２実施形態
図５は本発明の第２実施形態としての車両情報提示システム１ｂの機能構成を模式的に示す図である。
本第２実施形態にかかる車両情報提示システム１ｂも、第１実施形態の車両情報提示システム１ａと同様に、カーシェアリングシステムにおいて、共有される車両１０に関する情報を、その会員に対して提供するものである。
【００８８】
そして、図５に示すように、第２実施形態の車両情報提示システム１ｂは、第１実施形態の車載装置１２ａに代えて車載装置１２ｂを、携帯端末装置３０ａに代えて携帯端末装置３０ｂを、サーバ２２ａに代えてサーバ２２ｂを、それぞれそなえている。
なお、図中、既述の符号と同一の符号は同一もしくは略同一の部分を示しているので、その詳細な説明は省略する。
【００８９】
また、本第２実施形態においても、第１実施形態と同様に、車載装置１２ｂ，携帯端末装置３０ｂおよびサーバ２２ｂの各機能をそれぞれ実現するための各制御プログラムは、各種のコンピュータ読取可能な記録媒体に記録された形態で提供され、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。そして、各コンピュータがそれぞれの機能を実現する際には、制御プログラムがコンピュータのマイクロプロセッサ（本実施形態ではＣＰＵ１２０１，３００１，２００１によって実行される。このとき、記録媒体に記録されたプログラムをコンピュータが読み取って実行するようにしてもよい。
【００９０】
サーバ２２ｂは、第１実施形態のサーバ２２ａとほぼ同様のハードウェア構成をそなえており、その具体的な構成の説明は省略する。又、図５に示すように、第１実施形態のサーバ２２ａとほぼ同様の機能構成をそなえている。
ただし、本第２実施形態のサーバ２２ｂにおいては、運用管理部２０１は、車両１０のドアロック１２２０を開錠するための電子鍵（車両開閉用Ｋｅｙ）を作成する機能をそなえており、運用管理部２０１は、携帯端末装置３０ｂからの開錠要求に伴う利用者の認証の結果、利用者が正当な会員であることが認定された場合に、この車両開閉用Ｋｅｙが作成される。又、この作成された車両開閉用Ｋｅｙのデータ（ｋｅｙデータ）は、開錠指示送信部２０３から携帯端末装置３０ｂに送信される。
【００９１】
このサーバ２２ｂにおいては、図５に示すように、開錠指示送信部２０３は車載装置１２ｂの開錠制御部１２１に開錠指示を送信することはなく、代わりに、携帯端末装置３０ｂの鍵情報送信部３０６に送信するようになっている。
携帯端末装置３０ｂは、第１実施形態の携帯端末装置３０ａとほぼ同様のハードウェア構成をそなえている。又、図５に示すように、携帯端末装置３０ｂは、第１実施形態の携帯端末装置３０ａに鍵情報送信部３０６をそなえるものであり、その他の部分は携帯端末装置３０ａと同様に構成されている。
【００９２】
なお、この携帯端末装置３０ｂにおいては、サーバ２２ｂの開錠指示送信部２０３から送信された車両開閉用Ｋｅｙや認証結果がＲＡＭ３００５や図示しない不揮発性メモリ等に格納される。
鍵情報送信部３０６は、サーバ２２ｂの開錠指示送信部２０３から送信された車両開閉用Ｋｅｙを、開錠指示とともに車載装置１２ｂの開錠制御部１２１に送信するものであり、ＲＡＭ３００５等に格納された車両開閉用Ｋｅｙを開錠制御部１２１に送信する。
【００９３】
車載装置１２ｂは、第１実施形態の車載装置１２ａとほぼ同様のハードウェア構成をそなえており、又、図５に示すように、第１実施形態の車載装置１２ａとほぼ同様の機能構成をそなえている。
ただし、本第２実施形態においては、車載装置１２ｂにおいて、開錠制御部１２１は、携帯端末装置３０ｂの鍵情報送信部３０６から送信される車両開閉用Ｋｅｙおよび開錠指示に基づいて、ドアロック１２２０の開錠を行なう。すなわち。開錠制御部１２１は、例えば、開錠指示とともに送信された車両開閉用Ｋｅｙについて、正当な車両開閉用Ｋｅｙであるか否かを認証手法を用いて確認することにより、ドアロック１２２０の開錠の可否を判断する。なお、開錠制御部１２１における車両開閉用Ｋｅｙの確認は、既知の種々の認証手法を用いることにより実現でき、その詳細な説明は省略する。
【００９４】
上述の如く構成された本第２実施形態の車両情報提示システム１ｂにおける処理を、図６に示すチャート図（ステップＡ１０〜Ａ１７０，Ｂ１０〜Ｂ９０）に従って説明する。ただし、図中、既述の符号と同一の符号で示された処理は同一もしくは略同一の処理を示しているので、その説明は省略する。
なお、この図６に示す例においても、図４と同様に、カーシェアリングの対象となる車両１０が所定の駐車場に駐車されており、利用者がその場で利用予約を行ない、そのままこの車両１０を使用する場合について説明する。
【００９５】
本第２実施形態の車両情報提示システム１ｂにおいても、サーバ２２ｂにおいて、携帯端末装置３０ｂから送信された貸出し申込みにかかる送信データを受信し（ステップＡ１６０）、運用管理部２０１が、この受信したデータの内容を確認する（ステップＡ１７０）。そして、これらの要件が満たされていることが確認された場合に、運用管理部２０１は当該車両１０の貸出し登録を行なう（ステップＡ１７０）。
【００９６】
このステップＡ１７０における認証の結果、利用者が正当な会員であり、貸出し申込みにかかる要件が満たされていると判断された場合には、サーバ２２ｂにおいて、運用管理部２０１は車両開閉用Ｋｅｙを作成し（ステップＢ１０）、貸出し申込みを行なった携帯端末装置３０ｂに対して、この車両開閉用Ｋｅｙを承認結果とともに送信する（ステップＢ２０）。なお、このステップＡ１７０における認証の結果、利用者が正当な会員ではない、もしくは貸出し申込みにかかる要件が満たされていないと判断された場合には、車両開閉用Ｋｅｙは作成されず、その認証結果だけが携帯端末装置３０ｂに送信される。
【００９７】
そして、携帯端末装置３０ｂはこれらの承認結果および車両開閉用Ｋｅｙを受信し（ステップＢ３０）、ＣＰＵ３００１がその承認結果を表示部３００２に表示させる制御を行なう（ステップＢ４０）。
ステップＡ１７０における認証の結果、利用者が正当な会員であり、貸出し申込みにかかる要件が満たされていると判断された場合に、利用者が、携帯端末装置３０ｂを車両１０における車載装置１２ｂの接続モジュール１２０５付近にかざす等の所定の処理を行なうと（ステップＢ５０）、携帯端末装置３０ｂの接続モジュール３００３と車載装置１２ｂの接続モジュール１２０５との通信が確立され、鍵情報送信部３０６が、ＲＡＭ３００５等に格納された車両開閉用Ｋｅｙを車載装置１２ｂの開錠制御部１２１に送信する（ステップＢ６０）。
【００９８】
車載装置１２においては、開錠制御部１２１が接続モジュール１２０５により携帯端末装置３０ｂからのアクセスを受信し、車両開閉用Ｋｅｙを受信する（ステップＢ７０）。そして、開錠制御部１２１が、受信した車両開閉用Ｋｅｙを確認し、開錠の可否を判断する（ステップＢ８０）。開錠制御部１２１において、例えば、受信した車両開閉用Ｋｅｙが正当なものであることが確認されると、開錠制御部１２１はドアロック１２２０の開錠を行なう（ステップＢ９０）。
【００９９】
また、以下、利用者による車両１０の利用や返却についても、上述した第１実施形態の車両情報提示システム１ｂと同様に行なうことができる。
このように、本発明の第２実施形態としての車両情報提供システム１ｂによっても、第１実施形態と同様の作用効果を得ることができる。
（Ｃ）第３実施形態
図７は本発明の第３実施形態としての車両情報提示システム１ｃの機能構成を模式的に示す図である。
【０１００】
本第３実施形態にかかる車両情報提示システム１ｃも、第１実施形態の車両情報提示システム１ａ等と同様に、カーシェアリングシステムにおいて、共有される車両１０に関する情報を、その会員に対して提供するものである。
そして、図７に示すように、第３実施形態の車両情報提示システム１ｃは、第２実施形態の車載装置１２ｂに代えて車載装置１２ｃを、携帯端末装置３０ｂに代えて携帯端末装置３０ｃを、サーバ２２ｂに代えてサーバ２２ｃを、それぞれそなえている。
【０１０１】
なお、図中、既述の符号と同一の符号は同一もしくは略同一の部分を示しているので、その詳細な説明は省略する。
また、本第３実施形態においても、第１実施形態と同様に、車載装置１２ｃ，携帯端末装置３０ｃおよびサーバ２２ｃの各機能をそれぞれ実現するための各制御プログラムは、各種のコンピュータ読取可能な記録媒体に記録された形態で提供され、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。そして、各コンピュータがそれぞれの機能を実現する際には、制御プログラムがコンピュータのマイクロプロセッサ（本実施形態ではＣＰＵ１２０１，３００１，２００１によって実行される。このとき、記録媒体に記録されたプログラムをコンピュータが読み取って実行するようにしてもよい。
【０１０２】
車載装置１２ｃは、第２実施形態の車載装置１２ｂとほぼ同様のハードウェア構成をそなえている。又、この車載装置１２ｃは、図７に示すように、第２実施形態の車載装置１２ｂに、更に、車両情報１０５および提示情報作成部１０２をそなえている。
車両情報１０５は、この車両情報１０５が格納された車両１０に関する情報であって、例えば、車両特徴情報１０５１，おすすめ情報１０５２および制限情報１０５３をそなえている。そして、これらの少なくとも一部が、提示情報５０として携帯端末装置３０ｃの利用者に提示される。
【０１０３】
なお、車両特徴情報１０５１，おすすめ情報１０５２および制限情報１０５３は、それぞれ第２実施形態の車両情報提示システム１ｂの車両特徴情報２０５１，おすすめ情報２０５２および制限情報２０５３と同様の情報であって、その車両情報１０５が格納されている車両１０についての情報だけが格納されている。
提示情報作成部１０２は、利用者に対して提示する提示情報５０を作成するものであり、当該提示情報作成部１０２をそなえた車載装置１２ｃが搭載された車両１０（以下、自車両１０という場合がある）に関する提示情報５０を作成する。
【０１０４】
また、提示情報作成部１０２は、サーバ２２ｃの運用管理部２０１に対して、自車両１０の車両識別情報（例えば、不揮発性メモリ１２０６から取得）とともに、この車両識別情報によって特定される車両１０（自車両１０）について、予約状況ＤＢ２０４２からの自車両１０を使用可能な日時（使用可能日時）の抽出指示を行なう。
そして、提示情報作成部１０２は、自車両１０に格納されている車両情報１０５と、運用管理部２０によって抽出された使用可能日時に関する情報とを用いて提示情報５０を作成する。
【０１０５】
なお、これらの情報を用いた提示情報５０の具体的な作成手法は、第１実施形態の提示情報作成部２０２と同様であり、その詳細な説明は省略する。
また、この作成された提示情報５０は、接続モジュール１２０５および接続モジュール３００３を介して携帯端末装置３０ｃに送信（出力）され、その表示部３００２に表示されることにより、利用者に提示される。すなわち、車載装置１２ｃの接続モジュール１２０５が、提示情報作成部１０２によって作成された提示情報５０を出力する提示情報出力部として機能する。
【０１０６】
なお、本第３実施形態においても、車載装置１２ｃにおいて、開錠制御部１２１は、携帯端末装置３０ｃの鍵情報送信部３０６から送信される車両開閉用Ｋｅｙおよび開錠指示に基づいて、ドアロック１２２０の開錠を行なう。
サーバ２２ｃは、第２実施形態のサーバ２２ｂとほぼ同様のハードウェア構成をそなえており、その具体的な構成の説明は省略する。又、サーバ２２ｃは、図７に示すように、運用管理部２０１および開錠指示送信部２０３および運用管理部２０１管理情報２０４をそなえる一方で、車両情報管理部２０６や車両情報２０５はそなえていない。
【０１０７】
また、本第３実施形態のサーバ２２ｃにおいても、第２実施形態と同様に、運用管理部２０１は、車両１０のドアロック１２２０を開錠するための車両開閉用Ｋｅｙを作成する機能をそなえており、運用管理部２０１は、携帯端末装置３０ｃからの開錠要求に伴う利用者の認証の結果、利用者が正当な会員であることが認定された場合に、この車両開閉用Ｋｅｙが作成される。又、この作成されたｋｅｙデータは、開錠指示送信部２０３から携帯端末装置３０ｃに送信される。
【０１０８】
このサーバ２２ｃにおいても、図７に示すように、開錠指示送信部２０３は携帯端末装置３０ｃの鍵情報送信部３０６に送信するようになっている。
また、運用管理部２０１は、車載装置１２ｃの提示情報作成部１０２からの情報抽出指示に従い、車両識別情報に基づいて車両１０の予約状況ＤＢ２０４２を参照する。そして、運用管理部２０１は、予約状況ＤＢ２０４２からその車両１０を使用可能な日時を抽出し、通信モジュール２００５や通信回線４１を介して、使用可能日時として提示情報作成部１０２に送信する。
【０１０９】
携帯端末装置３０ｃは、第２実施形態の携帯端末装置３０ｂとほぼ同様のハードウェア構成および機能構成をそなえており、その詳細な説明は省略する。
上述の如く構成された本第３実施形態の車両情報提示システム１ｃにおける処理を、図８に示すチャート図（ステップＣ１０〜Ｃ１２０，Ａ１００〜Ａ１７０およびＢ１０〜Ｂ９０）に従って説明する。ただし、図中、既述の符号と同一の符号で示された処理は同一もしくは略同一の処理を示しているので、その説明は省略する。
【０１１０】
なお、この図８に示す例においても、図４等に示す例と同様に、カーシェアリングの対象となる車両１０が所定の駐車場に駐車されており、利用者がその場で利用予約を行ない、そのままこの車両１０を使用する場合について説明する。
本第３実施形態の車両情報提示システム１ｃにおいては、予め、各車両１０の車載装置１２ｃに、それぞれその車載装置１２ｃが搭載された車両１０（自車両１０）についての車両情報１０５を格納しておく（ステップＣ１０）。なおこの車両情報１０５は、例えば、ＲＡＭ３００５や図示しない不揮発性メモリ，ＨＤＤ（Hard Disk Drive），ＳＳＤ（Solid State Drive）に格納する。
【０１１１】
そして、例えば、カーシェアリングシステムにおいて用いられる所定の駐車場で車両１０を見て、その仕様等の詳細な情報を得ることを希望する利用者が、携帯端末装置３０ｃを車両１０における車載装置１２ｃの接続モジュール１２０５付近にかざし、入力装置３００７から所定の操作を行なう（ステップＣ２０）。これにより、携帯端末装置３０ｃの接続モジュール３００３と車載装置１２ｃの接続モジュール１２０５とが通信し（ステップＣ３０）、車載装置１２ｃが携帯端末装置３０ｃからのアクセスを受信する（ステップＣ４０）。
【０１１２】
車両１０において、提示情報作成部２０２が、サーバ２２ｃに対して、自車両１０を使用可能な日時（使用可能日時）を予約状況として要求する予約状況取得要求を、自車両１０の車両識別情報とともに送信する（ステップＣ５０）。
サーバ２２ｃにおいては、通信モジュール２００５を介して、この予約状況取得要求を受信し（ステップＣ６０）、運用管理部２０１が運用管理情報２０４の予約状況ＤＢ２０４２から最新の予約状況を取得して、通信モジュール２００５により車載装置１２ｃに対して送信する（ステップＣ７０，Ｃ８０）。
【０１１３】
車載装置１２ｃにおいては、通信モジュール１２０４により、サーバ２２ｃから送信された予約状況の情報を受信し（ステップＣ９０）、この予約状況情報と車両情報１０５とを用いて提示情報作成部２０２が提示情報５０を作成する（ステップＣ１００）。そして、この作成された提示情報５０を、接続モジュール１２０５により送信し（ステップＣ１１０）、携帯端末装置３０ｃが接続モジュール３００３で受信する（ステップＣ１２０）。
【０１１４】
そして、携帯端末装置３０ｃにおいては、この受信した提示情報５０を、提示情報出力部３０３が表示部３００２に表示させることにより、利用者に対して提示情報５０を提示する（ステップＡ１００）。
また、利用者は、表示部３００２に表示された提示情報５０の内容を確認し、その車両１０が気に入り借り出すことを決定すると、携帯端末装置３０ｃを用いて貸出し手続き（貸出し申込み）を行なう（ステップＡ１１０〜Ａ１７０）。
【０１１５】
サーバ２２ｃにおいて、貸出し手続きにかかる認証が行なわれ、利用者が正当な会員であり、貸出し申込みにかかる要件が満たされていると判断された場合には、貸出し登録が行なわれる。更に、サーバ２２ｃにおいて、運用管理部２０１による車両開閉用Ｋｅｙの作成が行なわれ、この車両開閉用Ｋｅｙが、携帯端末装置３０ｃを介して車載装置１２ｃに送信され、ドアロック１２２０の開錠が行なわれる（ステップＢ１０〜Ｂ９０）。
【０１１６】
このように、本発明の第３実施形態としての車両情報提供システム１ｃによっても、第１実施形態や第２実施形態と同様の作用効果を得ることができる他、各車両１０に対応する車両情報１０５が各車載装置１２ｃに保存されるので、サーバ２２ｃにおいては車両情報を管理・保持する必要がない。これにより、サーバ２２ｃの製造コストやメンテナンスコストを低減することができる。
【０１１７】
（Ｄ）第４実施形態
図９は本発明の第４実施形態としての車両情報提示システム１ｄの機能構成を模式的に示す図である。
本第４実施形態にかかる車両情報提示システム１ｄも、第１実施形態の車両情報提示システム１ａ等と同様に、カーシェアリングシステムにおいて、共有される車両１０に関する情報を、その会員に対して提供するものである。
【０１１８】
そして、図９に示すように、本第４実施形態の車両情報提示システム１ｄは、第３実施形態の車載装置１２ｃに代えて車載装置１２ｄを、携帯端末装置３０ｃに代えて携帯端末装置３０ｄを、サーバ２２ｃに代えてサーバ２２ｄを、それぞれそなえている。
なお、図中、既述の符号と同一の符号は同一もしくは略同一の部分を示しているので、その詳細な説明は省略する。
【０１１９】
また、本第４実施形態においても、第１実施形態と同様に、車載装置１２ｄ，携帯端末装置３０ｄおよびサーバ２２ｄの各機能をそれぞれ実現するための各制御プログラムは、各種のコンピュータ読取可能な記録媒体に記録された形態で提供され、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。そして、各コンピュータがそれぞれの機能を実現する際には、制御プログラムがコンピュータのマイクロプロセッサ（本実施形態ではＣＰＵ１２０１，３００１，２００１によって実行される。このとき、記録媒体に記録されたプログラムをコンピュータが読み取って実行するようにしてもよい。
【０１２０】
この図９に示す本第４実施形態の車両情報提示システム１ｄにおいては、携帯端末装置３０ｄが、第３実施形態の携帯端末装置３０ｃにおいてはそなえられていた鍵情報送信部３０６をそなえずに構成されるとともに、サーバ２２ｄの開錠指示送信部２０３が、車載装置１２ｄの開錠制御部１２１に対して車両開閉用Ｋｅｙを送信する他は、第３実施形態の車両情報提示システム１ｃとほぼ同様に構成されている。
【０１２１】
なお、携帯端末装置３０ｄは、第１実施形態の携帯端末装置３０ａとほぼ同様のハードウェア構成および機能構成をそなえており、その詳細な説明は省略する。
上述の如く構成された、本第４実施形態の車両情報提示システム１ｄにおける処理を、図１０に示すチャート図（ステップＣ１０〜Ｃ１２０，Ａ１００〜Ａ２５０）に示す。なお、図中、既述の符号と同一の符号で示された処理は同一もしくは略同一の処理を示しているので、その説明は省略する。
【０１２２】
このように、本第４実施形態の車両情報提示システム１ｄにおいても、第１実施形態や第３実施形態と同様の作用効果を得ることができる。
（Ｅ）第５実施形態
図１１は本発明の第５実施形態としての車両情報提示システム１ｅの機能構成を模式的に示す図である。
【０１２３】
本第５実施形態にかかる車両情報提示システム１ｅも、第１実施形態の車両情報提示システム１ａ等と同様に、カーシェアリングシステムにおいて、共有される車両１０に関する情報を、その会員に対して提供するものである。
そして、図１１に示すように、本第５実施形態の車両情報提示システム１ｅは、第３実施形態の車載装置１２ｃに代えて車載装置１２ｅを、携帯端末装置３０ｃに代えて携帯端末装置３０ｅを、サーバ２２ｃに代えてサーバ２２ｅを、それぞれそなえている。
【０１２４】
なお、図中、既述の符号と同一の符号は同一もしくは略同一の部分を示しているので、その詳細な説明は省略する。
また、本第５実施形態においても、第１実施形態と同様に、車載装置１２ｅ，携帯端末装置３０ｅおよびサーバ２２ｅの各機能をそれぞれ実現するための各制御プログラムは、各種のコンピュータ読取可能な記録媒体に記録された形態で提供され、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。そして、各コンピュータがそれぞれの機能を実現する際には、制御プログラムがコンピュータのマイクロプロセッサ（本実施形態ではＣＰＵ１２０１，３００１，２００１によって実行される。このとき、記録媒体に記録されたプログラムをコンピュータが読み取って実行するようにしてもよい。
【０１２５】
この図１１に示す本第５実施形態の車両情報提示システム１ｅにおいては、車載装置１２ｅが、第３実施形態の車載装置１２ｃに予約状況ＤＢ２０４２′をそなえて構成されている他は、第３実施形態の車両情報提示システム１ｃとほぼ同様に構成されている。すなわち、携帯端末装置３０ｅは第３実施形態の携帯端末装置３０ｃとほぼ同様のハードウェア構成および機能構成をそなえており、又、サーバ２２ｅは第３実施形態のサーバ２２ｃとほぼ同様のハードウェア構成および機能構成をそなえており、これらの詳細な説明は省略する。
【０１２６】
予約状況ＤＢ２０４２′は、サーバ２２ｅにおいて管理されている予約状況ＤＢ２０４２における、その車両１０にかかる情報だけを抽出したものであり、車載装置１２ｅの不揮発性メモリ１２０６やＲＡＭ１２０３等に格納されている。
サーバ２２ｅは、予約状況ＤＢ２０４２から各車両１０についての情報（予約状況情報）を、例えば、車両識別情報に基づいて抽出し、その車両識別情報に対応する車両１０に対して、この抽出した情報を通信モジュール２００５により通信回線４１を介して送信する。
【０１２７】
この送信された予約状況情報は、各車両１０において車載装置１２ｅによって受信され、その不揮発性メモリ１２０６やＲＡＭ１２０３等に格納される。
提示情報作成部１０２は、提示情報５０の作成に際して、この予約状況ＤＢ２０４２′から使用可能日時を抽出して用いる。なお、これらの情報を用いた提示情報５０の作成は、上述した各実施形態と同様に行なわれ、その説明は省略する。
【０１２８】
すなわち、本第５実施形態においては、提示情報作成部１０２は、車両情報１０５と予約状況ＤＢ２０４２′とを用いて提示情報５０を作成するようになっている。
上述の如く構成された、本第５実施形態の車両情報提示システム１ｅにおける処理を、図１２に示すチャート図（ステップＤ１０〜Ｄ１１０，Ａ１２０〜Ａ１７０，Ｂ１０〜Ｂ９０）に示す。なお、図中、既述の符号と同一の符号で示された処理は同一もしくは略同一の処理を示しているので、その説明は省略する。
【０１２９】
なお、この図１２に示す例においても、図４等に示す例と同様に、カーシェアリングの対象となる車両１０が所定の駐車場に駐車されており、利用者がその場で利用予約を行ない、そのままこの車両１０を使用する場合について説明する。
本第５実施形態の車両情報提示システム１ｅにおいても、予め、各車両１０の車載装置１２ｃに、それぞれその車載装置１２ｅが搭載された車両１０（自車両１０）についての車両情報１０５を格納しておく（ステップＤ１０）。なおこの車両情報１０５は、例えば、ＲＡＭ３００５や図示しない不揮発性メモリ，ＨＤＤ（Hard Disk Drive），ＳＳＤ（Solid State Drive）に格納する。
【０１３０】
サーバ２２ｅにおいては、運用管理部２０１が、各車両１０についての予約状況を、予約状況ＤＢ２０４２により管理している。そして、いずれかの会員により車両１０の利用予約が行なわれると、その貸出し申込みの内容に基づいて、予約状況ＤＢ２０４２における対象の車両１０に関する情報を適宜更新する。
また、運用管理部２０１は、この予約状況ＤＢ２０４２において予約状況に変化が生じた場合に、該当する車両１０に対して、その変更内容にかかる情報（変更情報）を送信する（ステップＤ２０）。この変更情報は通信モジュール２００５により通信回線４１を介して、対応する車両１０の車載装置１２ｅに送信される（ステップＤ３０）。
【０１３１】
車載装置１２ｅにおいては、通信モジュール１２０４によりこの変更情報が受信され（ステップＤ４０）、ＣＰＵ１２０１が、この受信した変更情報により予約状況ＤＢ２０４２′を更新する（ステップＤ５０）。
このように、サーバ２２ｅにおいて予約状況ＤＢ２０４２が更新されると、対応する車両１０において、車載装置１２ｅの予約状況ＤＢ２０４２′が更新され、これにより、各車両１０における予約状況ＤＢ２０４２′は、常に最新の状態で維持される。
【０１３２】
そして、例えば、カーシェアリングシステムにおいて用いられる所定の駐車場で車両１０を見て、その仕様等の詳細な情報を得ることを希望する利用者が、携帯端末装置３０ｅを車両１０における車載装置１２ｅの接続モジュール１２０５付近にかざし、入力装置３００７から所定の操作を行なう（ステップＤ６０）。これにより、携帯端末装置３０ｅの接続モジュール３００３と車載装置１２ｅの接続モジュール１２０５とが通信し（ステップＤ７０）、車載装置１２ｅが携帯端末装置３０ｅからのアクセスを受信する。
【０１３３】
車載装置１２ｅにおいては、提示情報作成部１０２が、車両情報１０５と予約状況ＤＢ２０４２′の情報とに基づいて、提示情報５０を作成し、携帯端末装置３０ｅに対して接続モジュール１２０５により送信する（ステップＤ８０）。携帯端末装置３０ｅにおいては、接続モジュール３００３によりこの提示情報５０を受信し（ステップＤ９０）、提示情報出力部３０３が表示部３００２に表示させることにより、利用者に提示される（ステップＤ１００）。
【０１３４】
利用者は、表示部３００２に表示された提示情報５０の内容を確認し、その車両１０が気に入り借り出すことを決定すると、携帯端末装置３０ｅを用いて貸出し手続き（貸出し申込み）を開始する（ステップＤ１１０）。以下、図６に示した第２実施形態と同様の処理が行なわれる。
このように、本第５実施形態の車両情報提示システム１ｅにおいても、第２実施形態や第３実施形態と同様の作用効果を得ることができる他、提示情報作成部１０２が、車載装置１２ｅ内の格納されている車両情報１０５や予約状況ＤＢ２０４２′に基づいて提示情報５０を作成するので、提示情報５０を作成するために必要な情報を取得するためにサーバ１２ｅ等との間で通信を行なう必要がなく、短時間で提示情報５０を作成することができる。これにより、利用者に対して迅速に提示情報５０を提示ことができ、顧客の満足度を向上させることができる。
【０１３５】
（Ｆ）第６実施形態
図１３は本発明の第６実施形態としての車両情報提示システム１ｆの機能構成を模式的に示す図である。
本第６実施形態にかかる車両情報提示システム１ｆも、第１実施形態の車両情報提示システム１ａ等と同様に、カーシェアリングシステムにおいて、共有される車両１０に関する情報を、その会員に対して提供するものである。
【０１３６】
そして、図１３に示すように、本第６実施形態の車両情報提示システム１ｆは、第５実施形態の車載装置１２ｅに代えて車載装置１２ｆを、携帯端末装置３０ｅに代えて携帯端末装置３０ｆを、サーバ２２ｅに代えてサーバ２２ｆを、それぞれそなえている。
なお、図中、既述の符号と同一の符号は同一もしくは略同一の部分を示しているので、その詳細な説明は省略する。
【０１３７】
また、本第６実施形態においても、第１実施形態と同様に、車載装置１２ｆ，携帯端末装置３０ｆおよびサーバ２２ｆの各機能をそれぞれ実現するための各制御プログラムは、各種のコンピュータ読取可能な記録媒体に記録された形態で提供され、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。そして、各コンピュータがそれぞれの機能を実現する際には、制御プログラムがコンピュータのマイクロプロセッサ（本実施形態ではＣＰＵ１２０１，３００１，２００１によって実行される。このとき、記録媒体に記録されたプログラムをコンピュータが読み取って実行するようにしてもよい。
【０１３８】
この図１３に示す本第６実施形態の車両情報提示システム１ｆにおいては、携帯端末装置３０ｆが、第５実施形態の携帯端末装置３０ｅにおいてはそなえられていた鍵情報送信部３０６をそなえずに構成されるとともに、サーバ２２ｆの開錠指示送信部２０３が、車載装置１２ｆの開錠制御部１２１に対して車両開閉用Ｋｅｙを送信する他は、第５実施形態の車両情報提示システム１ｅとほぼ同様に構成されている。
【０１３９】
なお、携帯端末装置３０ｆは、第１実施形態の携帯端末装置３０ａとほぼ同様のハードウェア構成および機能構成をそなえており、その詳細な説明は省略する。
上述の如く構成された、本第６実施形態の車両情報提示システム１ｆにおける処理を、図１４に示すチャート図（ステップＤ１０〜Ｄ１１０，Ａ１２０〜Ａ２５０）に示す。なお、図中、既述の符号と同一の符号で示された処理は同一もしくは略同一の処理を示しているので、その説明は省略する。
【０１４０】
このように、本第６実施形態の車両情報提示システム１ｆにおいても、第１実施形態と同様の作用効果を得ることができる他、提示情報作成部１０２が、車載装置１２ｆ内の格納されている車両情報１０５や予約状況ＤＢ２０４２′に基づいて提示情報５０を作成するので、提示情報５０を作成するために必要な情報を取得するためにサーバ１２ｆ等との間で通信を行なう必要がなく、短時間で提示情報５０を作成することができる。これにより、利用者に対して迅速に提示情報５０を提示ことができ、顧客の満足度を向上させることができる。
【０１４１】
（Ｇ）その他
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、車載装置１２ａ,１２ｂ，１２ｃ，１２ｄ，１２ｅ，１２ｆ，携帯端末装置３０ａ,３０ｂ，３０ｃ，３０ｄ，３０ｅ，３０ｆ，サーバ２２ａ,２２ｂ，２２ｃ，２２ｄ，２２ｅ，２２ｆがコンピュータとしての機能を有しているのである。
【０１４２】
そして、開示の技術は上述した実施形態に限定されるものではなく、本実施形態の趣旨を逸脱しない範囲で種々変形して実施することができる。
例えば、第１実施形態の車両情報提示システム１ａおよび第２実施形態の車両情報提示システム１ｂにおいては、サーバ２２ａ，２２ｂが、運用管理部２０１と提示情報作成部２０２との両方の機能をそなえているが、これに限定されるものではなく、これらの運用管理部２０１と提示情報作成部２０２との各機能を複数のサーバに分散させてそなえてもよく、本発明の趣旨を逸脱しない範囲で種々変形して実施することができる。
【０１４３】
また、上述した各実施形態においては、便宜上、車両１０や車載装置１２ａ，１２ｂ，１２ｃ，１２ｄ，１２ｅ，１２ｆ，携帯端末装置３０ａ，３０ｂ，３０ｃ，３０ｄ，３０ｅ，３０ｆを、１つずつ図示しているが、これに限定されるものではなく、これらの車両１０や車載装置１２ａ，１２ｂ，１２ｃ，１２ｄ，１２ｅ，１２ｆ，携帯端末装置３０ａ，３０ｂ，３０ｃ，３０ｄ，３０ｅ，３０ｆの数は適宜変更して実施することができ、それぞれ３つ以上ずつそなえてもよい。
【０１４４】
さらに、上述した各実施形態においては、開錠制御部１２１としての機能をＣＰＵ１２０１により実現しているが、これに限定されるものではない。すなわち、開錠制御にかかる少なくとも一部の機能を実現するハードウェア（電子回路等）をそなえ、このハードウェアによりドアロック１２２０の施錠や開錠にかかる制御を行なってもよい。
また、上述した開示により本実施形態を当業者によって実施・製造することが可能である。
【符号の説明】
【０１４５】
１ａ，１ｂ，１ｃ，１ｄ，１ｅ，１ｆ    車両情報提示システム
１０    車両
１２ａ，１２ｂ，１２ｃ，１２ｄ，１２ｅ，１２ｆ    車載装置
２０    情報センタ
２２ａ，２２ｂ，２２ｃ，２２ｄ，２２ｅ，２２ｆ    サーバ
３０ａ,３０ｂ，３０ｃ，３０ｄ，３０ｅ，３０ｆ    携帯端末装置
４０    アクセスポイント
４１    通信回線
５０    提示情報
１２１    開錠制御部
２０１    運用管理部
２０２，１０２    提示情報作成部
２０３    開錠指示送信部
２０４    運用管理情報
２０５，１０５    車両情報
３０１    車両識別情報取得部
３０２    車両情報取得部
３０３    提示情報出力部
３０４    貸出手続入力部
３０５    貸出情報出力部
３０６    鍵情報送信部
５０１    車両特徴情報配置部
５０２    制限情報配置部
５０３    おすすめ情報配置部５０３
１２０１，２００１，３００１    ＣＰＵ
１２０２，２００２，３００６    ＲＯＭ
１２０３，２００３，３００５    ＲＡＭ
１２０４，２００５，３００４    通信モジュール
１２０５、３００３    接続モジュール
１２０６    不揮発性メモリ
１２２０    ドアロック
２００１    ＣＰＵ
２００２    ＲＯＭ
２００３    ＲＡＭ
２００４    ＨＤＤ
２００５    通信モジュール
２００６    表示部
２０４１    会員情報ＤＢ
２０４２，２０４２′    予約状況ＤＢ
２０４３    使用状況ＤＢ
２０５１，１０５１    車両特徴情報
２０５２，１０５２    おすすめ情報
２０５３，１０５３    制限情報
３００１    ＣＰＵ
３００２    表示部
３００３    接続モジュール
３００４    通信モジュール
３００５    ＲＡＭ
３００６    ＲＯＭ
３００７    入力装置
【図１】
0005391097.tif 000002
【図２】
0005391097.tif 000003
【図３】
0005391097.tif 000004
【図４】
0005391097.tif 000005
【図５】
0005391097.tif 000006
【図６】
0005391097.tif 000007
【図７】
0005391097.tif 000008
【図８】
0005391097.tif 000009
【図９】
0005391097.tif 000010
【図１０】
0005391097.tif 000011
【図１１】
0005391097.tif 000012
【図１２】
0005391097.tif 000013
【図１３】
0005391097.tif 000014
【図１４】
0005391097.tif 000015